【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
被写体を撮像する撮像装置と、前記撮像装置を操作する操作装置とから構成されるカメラ装置であって、
前記撮像装置による被写体の撮像動作中に、撮像画像を認識して前記操作装置が被写体として含まれているか否かの状態を逐次確認する確認手段と、
前記確認手段により前記撮像画像に前記操作装置が被写体として含まれることが確認されている間には、前記操作装置の動作モードを第１の動作モードに設定し、かつ前記確認手段により前記撮像画像に前記操作装置が被写体として含まれないことが確認されている間には、前記操作装置の動作モードを前記第１の動作モードよりも消費電力が少ない第２の動作モードに設定するモード設定手段と、
を備えたことを特徴とするカメラ装置。
【請求項２】
前記操作装置は画面を有する表示手段を備え、
前記確認手段は、前記撮像画像において前記表示手段が有する画面を認識し、当該画面が認識できた場合に前記撮像画像に前記操作装置が被写体として含まれていると判断するとともに、前記画面が認識できない場合には前記撮像画像に前記操作装置が被写体として含まれていないと判断することを特徴とする請求項１記載のカメラ装置。
【請求項３】
前記操作装置における前記第２の動作モードは、前記表示手段の表示動作を停止する動作モードであることを特徴とする請求項２記載のカメラ装置。
【請求項４】
前記撮像装置と前記操作装置とは、データを送受信する通信手段を互いに備えたことを特徴とする請求項１又は２、３記載のカメラ装置。
【請求項５】
前記操作装置における前記第２の動作モードには、前記通信手段の通信モードを通常モードよりも消費電力が少ない低消費モードとする内容が含まれることを特徴とする請求項４記載のカメラ装置。
【請求項６】
前記確認手段が前記撮像装置に設けられるとともに、前記撮像装置は前記確認手段による確認結果を前記撮像装置が備える前記通信手段により前記操作装置へ送信し、
前記モード設定手段が前記操作装置に設けられるとともに、前記モード設定手段は、前記操作装置が備える前記通信手段により受信した前記確認結果に応じた動作モードを前記操作装置に設定する
ことを特徴とする請求項４又は５記載のカメラ装置。
【請求項７】
前記確認手段と前記モード設定手段とが前記操作装置に設けられたことを特徴とする請求項４又は５記載のカメラ装置。
【請求項８】
前記モード設定手段は、
前記確認手段により確認された状態が、前記撮像画像に前記操作装置が被写体として含まれている状態から、前記撮像画像に前記操作装置が被写体として含まれていない状態に変化したことに応答し、前記操作装置の動作モードを前記第１の動作モードから前記第２の動作モードに設定し、
前記確認手段により確認された状態が、前記撮像画像に前記操作装置が被写体として含まれていない状態から、前記撮像画像に前記操作装置が被写体として含まれている状態に変化したことに応答し、前記操作装置の動作モードを前記第２の動作モードから前記第１の動作モードに設定する、
ことを特徴とする請求項１乃至７の何れか一項に記載のカメラ装置。
【請求項９】
被写体を撮像する撮像装置と、前記撮像装置を操作する操作装置とから構成されるカメラ装置における消費電力制御方法であって、
前記撮像装置による被写体の撮像動作中に、撮像画像を認識して前記操作装置が被写体として含まれているか否かの状態を逐次確認する確認工程と、
前記確認工程により前記撮像画像に前記操作装置が被写体として含まれることが確認されている間には、前記操作装置の動作モードを第１の動作モードに設定し、かつ前記確認工程において前記撮像画像に前記操作装置が被写体として含まれないことが確認されている間には、前記操作装置の動作モードを前記第１の動作モードよりも消費電力が少ない第２の動作モードに設定するモード設定工程と、
を含むことを特徴とする消費電力制御方法。
【請求項１０】
被写体を撮像する撮像装置と、前記撮像装置を操作する操作装置とから構成されるカメラ装置における前記撮像装置であって、
被写体の撮像動作中に、撮像画像に前記操作装置が被写体として含まれているか否かの状態を逐次確認する確認手段と、
前記確認手段により確認された状態が、前記撮像画像に前記操作装置が被写体として含まれている状態から、前記撮像画像に前記操作装置が被写体として含まれていない状態に変化したことに応答して、前記操作装置に対して、動作モードを第１の動作モードから前記第１の動作モードよりも消費電力が少ない第２の動作モードに移行する要求を行う要求信号を送信し、前記確認手段により確認された状態が、前記撮像画像に前記操作装置が被写体として含まれていない状態から、前記撮像画像に前記操作装置が被写体として含まれている状態に変化したことに応答して、前記操作装置に対して、動作モードを前記第２の動作モードから前記第１の動作モードに移行する要求を行う要求信号を送信する送信手段と、
を備えたことを特徴とする撮像装置。
【請求項１１】
被写体を撮像する撮像装置と、前記撮像装置を操作する操作装置とから構成されるカメラ装置における前記撮像装置が有するコンピュータを、
被写体の撮像動作中に、撮像画像に前記操作装置が被写体として含まれているか否かの状態を逐次確認する確認手段、
前記確認手段により確認された状態が、前記撮像画像に前記操作装置が被写体として含まれている状態から、前記撮像画像に前記操作装置が被写体として含まれていない状態に変化したことに応答して、前記操作装置に対して、動作モードを第１の動作モードから前記第１の動作モードよりも消費電力が少ない第２の動作モードに移行する要求を行う要求信号を送信し、前記確認手段により確認された状態が、前記撮像画像に前記操作装置が被写体として含まれていない状態から、前記撮像画像に前記操作装置が被写体として含まれている状態に変化したことに応答して、前記操作装置に対して、動作モードを前記第２の動作モードから前記第１の動作モードに移行する要求を行う要求信号を送信する送信手段、
として機能させることを特徴とするプログラム。
【請求項１２】
被写体を撮像する撮像装置と、前記撮像装置によって撮像された撮像画像を前記撮像装置から受信するとともに、前記撮像装置を操作する操作装置とから構成されるカメラ装置における前記操作装置であって、
前記撮像装置による被写体の撮像動作中に、前記撮像画像に当該操作装置が被写体として含まれているか否かの状態を逐次確認する確認手段と、
前記確認手段により前記撮像画像に当該操作装置が被写体として含まれることが確認されている間には、当該操作装置における動作モードを第１の動作モードに設定し、かつ前記確認手段により前記撮像画像に当該操作装置が被写体として含まれないことが確認されている間には、当該操作装置における動作モードを前記第１の動作モードよりも消費電力が少ない第２の動作モードに設定するモード設定手段と、
を備えたことを特徴とする操作装置。
【請求項１３】
被写体を撮像する撮像装置と、前記撮像装置によって撮像された撮像画像を前記撮像装置から受信するとともに、前記撮像装置を操作する操作装置とから構成されるカメラ装置における前記操作装置が有するコンピュータを、
前記撮像装置による被写体の撮像動作中に、前記撮像画像に当該操作装置が被写体として含まれているか否かの状態を逐次確認する確認手段、
前記確認手段により前記撮像画像に当該操作装置が被写体として含まれることが確認されている間には、当該操作装置における動作モードを第１の動作モードに設定し、かつ前記確認手段により前記撮像画像に当該操作装置が被写体として含まれないことが確認されている間には、当該操作装置における動作モードを前記第１の動作モードよりも消費電力が少ない第２の動作モードに設定するモード設定手段、
として機能させることを特徴とするプログラム。
【手続補正２】
【補正対象書類名】明細書
【補正対象項目名】０００７
【補正方法】変更
【補正の内容】
【０００７】
前記課題を解決するため、第１の観点に係る発明においては、被写体を撮像する撮像装置と、前記撮像装置を操作する操作装置とから構成されるカメラ装置であって、前記撮像装置による被写体の撮像動作中に、撮像画像を認識して前記操作装置が被写体として含まれているか否かの状態を逐次確認する確認手段と、前記確認手段により前記撮像画像に前記操作装置が被写体として含まれることが確認されている間には、前記操作装置の動作モードを第１の動作モードに設定し、かつ前記確認手段により前記撮像画像に前記操作装置が被写体として含まれないことが確認されている間には、前記操作装置の動作モードを前記第１の動作モードよりも消費電力が少ない第２の動作モードに設定するモード設定手段と、を備えたことを特徴とする。
【手続補正３】
【補正対象書類名】明細書
【補正対象項目名】０００８
【補正方法】変更
【補正の内容】
【０００８】
また、第２の観点に係る発明においては、被写体を撮像する撮像装置と、前記撮像装置を操作する操作装置とから構成されるカメラ装置における消費電力制御方法であって、前記撮像装置による被写体の撮像動作中に、撮像画像を認識して前記操作装置が被写体として含まれているか否かの状態を逐次確認する確認工程と、前記確認工程により前記撮像画像に前記操作装置が被写体として含まれることが確認されている間には、前記操作装置の動作モードを第１の動作モードに設定し、かつ前記確認工程において前記撮像画像に前記操作装置が被写体として含まれないことが確認されている間には、前記操作装置の動作モードを前記第１の動作モードよりも消費電力が少ない第２の動作モードに設定するモード設定工程と、を含むことを特徴とする。
【手続補正４】
【補正対象書類名】明細書
【補正対象項目名】０００９
【補正方法】変更
【補正の内容】
【０００９】
また、第３の観点に係る発明においては、被写体を撮像する撮像装置と、前記撮像装置を操作する操作装置とから構成されるカメラ装置における前記撮像装置であって、被写体の撮像動作中に、撮像画像に前記操作装置が被写体として含まれているか否かの状態を逐次確認する確認手段と、前記確認手段により確認された状態が、前記撮像画像に前記操作装置が被写体として含まれている状態から、前記撮像画像に前記操作装置が被写体として含まれていない状態に変化したことに応答して、前記操作装置に対して、動作モードを第１の動作モードから前記第１の動作モードよりも消費電力が少ない第２の動作モードに移行する要求を行う要求信号を送信し、前記確認手段により確認された状態が、前記撮像画像に前記操作装置が被写体として含まれていない状態から、前記撮像画像に前記操作装置が被写体として含まれている状態に変化したことに応答して、前記操作装置に対して、動作モードを前記第２の動作モードから前記第１の動作モードに移行する要求を行う要求信号を送信する送信手段と、を備えたことを特徴とする。
【手続補正５】
【補正対象書類名】明細書
【補正対象項目名】００１０
【補正方法】変更
【補正の内容】
【００１０】
また、第４の観点に係る発明においては、被写体を撮像する撮像装置と、前記撮像装置を操作する操作装置とから構成されるカメラ装置における前記撮像装置が有するコンピュータを、被写体の撮像動作中に、撮像画像に前記操作装置が被写体として含まれているか否かの状態を逐次確認する確認手段、前記確認手段により確認された状態が、前記撮像画像に前記操作装置が被写体として含まれている状態から、前記撮像画像に前記操作装置が被写体として含まれていない状態に変化したことに応答して、前記操作装置に対して、動作モードを第１の動作モードから前記第１の動作モードよりも消費電力が少ない第２の動作モードに移行する要求を行う要求信号を送信し、前記確認手段により確認された状態が、前記撮像画像に前記操作装置が被写体として含まれていない状態から、前記撮像画像に前記操作装置が被写体として含まれている状態に変化したことに応答して、前記操作装置に対して、動作モードを前記第２の動作モードから前記第１の動作モードに移行する要求を行う要求信号を送信する送信手段、として機能させることを特徴とする。
【手続補正６】
【補正対象書類名】明細書
【補正対象項目名】００１１
【補正方法】変更
【補正の内容】
【００１１】
また、第５の観点に係る発明においては、被写体を撮像する撮像装置と、前記撮像装置によって撮像された撮像画像を前記撮像装置から受信するとともに、前記撮像装置を操作する操作装置とから構成されるカメラ装置における前記操作装置であって、前記撮像装置による被写体の撮像動作中に、前記撮像画像に当該操作装置が被写体として含まれているか否かの状態を逐次確認する確認手段と、前記確認手段により前記撮像画像に当該操作装置が被写体として含まれることが確認されている間には、当該操作装置における動作モードを第１の動作モードに設定し、かつ前記確認手段により前記撮像画像に当該操作装置が被写体として含まれないことが確認されている間には、当該操作装置における動作モードを前記第１の動作モードよりも消費電力が少ない第２の動作モードに設定するモード設定手段と、を備えたことを特徴とする。
【手続補正７】
【補正対象書類名】明細書
【補正対象項目名】００１２
【補正方法】変更
【補正の内容】
【００１２】
また、第６の観点に係る発明においては、被写体を撮像する撮像装置と、前記撮像装置によって撮像された撮像画像を前記撮像装置から受信するとともに、前記撮像装置を操作する操作装置とから構成されるカメラ装置における前記操作装置が有するコンピュータを、前記撮像装置による被写体の撮像動作中に、前記撮像画像に当該操作装置が被写体として含まれているか否かの状態を逐次確認する確認手段、前記確認手段により前記撮像画像に当該操作装置が被写体として含まれることが確認されている間には、当該操作装置における動作モードを第１の動作モードに設定し、かつ前記確認手段により前記撮像画像に当該操作装置が被写体として含まれないことが確認されている間には、当該操作装置における動作モードを前記第１の動作モードよりも消費電力が少ない第２の動作モードに設定するモード設定手段、として機能させることを特徴とする。